(57)【特許請求の範囲】
【請求項１】
１個の粘土片を型の上に位置させ、粘土を型上で賦形させ、型と反対の賦形された粘土の側面にその賦形された粘土と接して保形具を位置させ、該保形具は粘土の形状にぴったりと嵌合するようにその形状と実質的に一致するように賦形されているものとし、次いで流体を型に吹き込んで賦形された粘土を型から保形具上に吹き離すことを含む陶磁器製品の成形方法において、抵抗力を保形具から粘土に加え、その抵抗力が型より吹き込まれる流体によって加えられる力よりも僅かに弱いようにしたことを特徴とする陶磁器製品の成形方法。
【請求項２】
型と反対の賦形された粘土の側面にその賦形された粘土と接して保形具を位置させ、該保形具は粘土の形状にぴったりと嵌合するようにその形状と実質的に一致するように賦形されているものとし、次いで流体を型に吹き込んで賦形された粘土を型から保形具上に吹き離すことを含む賦形された粘土片を型から取り外すための方法において、抵抗力を保形具から粘土に加え、その抵抗力が型より吹き込まれる流体によって加えられる力よりも僅かに弱いようにしたことを特徴とする、賦形された粘土片を型から取り外すための方法。
【請求項３】
流体が空気から成ることを特徴とする請求項１又は２に記載の方法。
【請求項４】
空気が加温されていることを特徴とする請求項３に記載の方法。
【請求項５】
抵抗力が空気圧シリンダーにより加えられることを特徴とする請求項１〜４のいずれか一の請求項に記載の方法。
【請求項６】
抵抗力がスプリングのような弾性部材により加えられることを特徴とする請求項１〜４のいずれか一の請求項に記載の方法。
【請求項７】
吸引力を保形具に加えて賦形粘土を型からはずれた後に保形具の方に保持することを特徴とする請求項１〜６のいずれか一の請求項に記載の方法。
【請求項８】
賦形された粘土が型から吹き離された時点を感知するための第一検出手段を備えることを特徴とする請求項１〜７のいずれか一の請求項に記載の方法。
【請求項９】
第一検出手段がその型の背圧の低下を感知するための第二検出手段を含むことを特徴とする請求項８に記載の方法。
【請求項１０】
第一検出手段が賦形された粘土が保形具上に移動した時に型と保形具を自動的に分離させるための手段に連結されていることを特徴とする請求項８又は９に記載の方法。
【請求項１１】
型に流体が吹き込まれたならば型を保形具に対して回転させて、これにより型と粘土との間にある水の膜を奪うことを特徴とする請求項１〜１０のいずれか一の請求項に記載の方法。
【請求項１２】
型がアクリルプラスチック材料で作られていることを特徴とする請求項１〜１１のいずれか一の請求項に記載の方法。
【発明の詳細な説明】
この発明は陶磁器製品の成形方法及び成形装置に関するものであり、特に、１個の賦形された粘土片を型から取り外す方法及び装置に関するものであるが、これに限定するものではない。
従来、陶磁器製の深い容器や平皿はローラー器の上で賦形されてきた。このような機械を用いる場合には、焼石膏製の型をこの機械の上に装着する。典型的には、型は、金型支持体に保持される。１個の粘土片を型の上に位置させ、次いでその型を回転させ、逆回転する賦形ローラーヘッドをそのクレーに接触させて所望の形状を与える。次いで、陶磁器製品を保持している型を機械から取り外して乾燥機の中に置き離型させる。この方法は、賦形された粘土が乾燥する間型の中に保持されるため、多数の型を必要とし、しかして製造現場で比較的広い範囲を占めるという欠点がある。
本発明によれば、１個の粘土片を型の上に位置させ、粘土を型上で賦形させ、型と反対の賦形された粘土の側面にその賦形された粘土と接して保形具を位置させ、該保形具は粘土の形状にぴったりと嵌合するようにその形状と実質的に一致するように賦形されているものとし、次いで流体を型に吹き込んで賦形された粘土を型から保形具上に吹き離すことを含む陶磁器製品を形成させる方法が提供される。
好ましくは、粘土はローラーヘッドで賦形される。
また、本発明は、型と反対の賦形された粘土の側面にその賦形された粘土と接して保形具を位置させ、該保形具は粘土の形状にぴったりと嵌合するようにその形状と実質的に一致するように賦形されているものとし、次いで流体を型に吹き込んで賦形された粘土を型から保形具に吹き離すことを含む賦形された粘土片を型から取り外すための方法も提供する。
この流体は、好ましくは空気から成り、この空気は加温されていてもよい。
好ましくは、抵抗力を保形具から粘土に加える。この抵抗力は、型に吹き込まれる流体により加えられる力よりも僅かに弱い。
この抵抗力は、空気圧シリンダー、或いはスプリングのような弾性部材によって加えることができる。
吸引力を保形具から粘土に加えて賦形粘土を型からはずれた後に保形具の方へ保持することができる。
好ましくは、賦形粘土を取り外した後に加温されていてよい空気を型に吹き込んで型を状態調節する。
賦形された粘土が型から吹き離された時点を感知するための第一検出手段を備えることができ、この手段は、型の背圧の低下を感知するための第二検出手段を含むことができる。第一検出手段は、賦形粘土が保形具上に移動したときに型と保形具を自動的に分離させるための手段に連結できる。
流体が型に吹き込まれたならば型を保形具に対して回転させ、これにより型と粘土の間にある水の膜を奪うことができる。
型は、アクリルプラスチック材料、好ましくはアクリル・ビーズから作ることができる。好ましくは、このプラスチック材料は、支持体の上に据え付けられる。支持体は、アクリルのようなプラスチック材料又は金属から作ることができる。別法として、型は焼石膏から作ることもできる。
本発明によれば、これまで述べてきた方法のいずれかに従う方法に使用できる保形具がさらに提供される。
好ましくは、開口部を保形具に設けて吸引により粘土物品を保形具上に保持させることを可能にする。
この発明の具体例として図１〜３を参照しながら実施例を説明する。この図はこの発明に従った装置を使いながら、この発明に従った段階を順を追って説明している。
それらの図は、賦形された粘土物を型から取り外すための装置を示している。粘土は、皿のような平物物の形状である。それらの図は通気性の合成型１０を示している。型１０は、アクリル・ビーズから作られており且つ皿の上部表面に一致するように賦形された上部表面を有している。型１０は同じくアクリル製の支持体１２の上に据え付けられる。
本発明に従う方法では、１個の粘土片を型１０の上に位置させる。続いて、型１０を回転させ、ローラーヘッド（図示しない）を使用して粘土片を所望の形状１４に成形する。保形具１６を粘土１４上に降ろす。保形具１６は、保形具１６が粘土１４の形状にぴったりと嵌合するように粘土１４の裏面輪郭に一致する形状の図に示されるような下面部を有している。次いで、下向きの力を保形具１６に加えると同時に吸引を保形具に与える。これと同時に、空気を型１０から保形具１６に向けて吹き込む。
複数の通路１８が保形具１６を貫いて延びて小室２０と連通しており、この小室２０は、吸引ポンプ又は減圧装置に連結装置に連結可能な出口２２を有している。型１０の下の型１０と支持体２０の間には小室２４が設けられており、支持体２０は、加圧装置に連結できる出口２６を有している。
保形具１６に加えられる力は、型１０に吹き込まれる空気によって粘土１４に加えられる力よりもわずかに弱くなるように調整されている。この力は、空気圧シリンダー又は弾性部材によって加えることができる。
いったん粘土１４が空気（この空気は加温されていてよい）を型１０に通すことによって型１０から吹き離されたならば、通路１８から吸引することにより粘土１４を保形具上に保持したまま、型１０と保形具１６を分離させることができる。次いで保形具１６を反転させ、その上の賦形された粘土１４を乾燥させることができる。粘土は、このものが付着していた型の上にはなく、また保形具は焼石膏よりも耐熱性の材料から作られているので、粘土は非常に早く乾燥することができる。温風を空いた型１０に吹き込んでいかなる湿気又はその他の物質も除去することにより型１０を状態調整することができる。
空気を型に吹き込みながら、型を保形具に対して回転（通常は部分回転）させることが有利であるとわかった。この回転が型と粘土の間にある水の膜を奪い取る。
ここで、既存の装置以上の多大な利点を与える方法及び装置を記載する。粘土１４が型から吹き離されるときに、保形具は粘土１４を型１０に接して保持しているので、このことが粘土１４の変形を防止させる。さらにこの“サンドイッチ”状の配置は、空気が型１０を通過し且つ、例えば粘土１４の縁端部を持ちあげて即座に逃げるのを防止し、それによってさらなる離型動作を防止する。このようなことが起きると粘土１４が型１０から不均一に離型し、恐らく粘土１４が変形しよう。この“サンドイッチ”の結果として、空気は、粘土と型の間に粘土１４の全体を型からほぼ同時に均一に離型させる「くさび」を形成させるのに役立つ。粘土は成形後に比較的高価な型から素早く離型するので、多数の型を使用する必要がない。従って、多数の上述した欠点が克服される。さらに、この装置は、異なった賦形物品の短時間運転に適している。
本発明の範囲から逸脱することなく様々な変更が可能である。例えば、保形具をその賦形面を上向きにして位置させ、成形された粘土を保持する型を保形具の上に降ろすようにすることができる。このような場合には、粘土を保形具上に保持させるために保形具から吸引することは必要とされない。上記の実施例はアクリル製の型を使用しているが、本発明は焼石膏又は任意の好適な通気性材料から作られた型にも容易に適用できる。
この方法は、異なる陶磁器物品に及び異なる成形技術で使用できる。この方法及び装置は、作業者によって設定されるような所望の型及び対応する保形具を備えるように準備された自動作業に適している。粘土が型から保形具の上に吹き離された時点を、恐らく型の背圧の降下を検出することによって表示させるための手段を備えることができる。この表示手段を、いったんこの「吹き離し」が起きたならば保形具と型を自動的に分離させるための手段に連結することができる。
前述の明細書では重要と思われるこの発明の特徴にのみ注目してきたが、出願人はこれまで特に強調したかしないかに拘わらず図面で参照し又は示したいかなる特許性のある要素又はこれら要素の組合せについて保護を主張するものであることを理解されたい。
【図１】
0004068140.tif 000002
【図２】
0004068140.tif 000003
【図３】
0004068140.tif 000004